(57)【特許請求の範囲】
【請求項１】
音声信号をパケットデータに変換して送受信し、ＩＰ網を通じての通話を行うＶｏＩＰ装置を被試験機として、該被試験機の動作試験を複数台一括して行うテストシステムであって、
各被試験機に固有且つ物理的に固定されたアドレス情報（以下、固定アドレス情報とする。）を入力する固定アドレス入力部と、
前記固定アドレス入力部で入力された各固定アドレスに対し、固有且つ動的な前記ＩＰ網上におけるアドレス情報（以下、動的アドレスとする。）を割り当てるＤＨＣＰ部と、
前記動的アドレス及び電話番号が固定的に割り当てられた試験用装置と、
前記動的アドレスと、各被試験機及び試験用装置に割り当てられた電話番号とを関連付けて登録するコールエージェント部と、
前記被試験機及び前記試験用装置のそれぞれに接続され、前記コールエージェント部を通じて相互に通話が可能な電話機と
を備え、
各被試験機に接続された複数の電話機の中から任意の２機により組を形成し、
各組において被試験機に接続された第１の電話機から、他の被試験機に接続された第２の電話機に対して発呼を試み、通話が確立した場合には、着呼があった該第２の電話機から、前記第１の電話機に発呼を試み、通話が成立しなかった場合に、前記試験用装置に接続された電話機に対して通話を試みる
ことを特徴とするＶｏＩＰ装置試験システム。
【請求項２】
前記被試験機に接続された電話機には、発呼すべき他の被試験機に接続された電話機の電話番号であって、前記コールエージェント部に登録された電話番号が短縮操作によりダイヤル可能に設定されていることを特徴とする請求項１に記載のＶｏＩＰ装置試験システム。
【請求項３】
前記固定アドレス入力部は、バーコードリーダーであることを特徴とする請求項１に記載のＶｏＩＰ装置試験システム。
【請求項４】
前記ＤＨＣＰ部により割り当てられた動的アドレス宛に、接続確認用信号を送信し、この接続確認用信号に対する返信によって、接続が確立されていることを監視する監視部をさらに有することを特徴とする請求項１に記載のＶｏＩＰ装置試験システム。
【請求項５】
前記ＤＨＣＰにより割り当てられた動的アドレスを用いて、各被試験機の記憶装置に格納されているプログラムを書き替えるアップグレード部をさらに有することを特徴とする請求項１に記載のＶｏＩＰ装置試験システム。
【請求項６】
前記ＶｏＩＰ装置は、前記通話を行う通信ポートとは異なる、データ通信用の通信ポートを備えており、
前記データ通信用ポートを介して、データの送受を行い、該データ通信用ポートの動作確認を行うデータ通信テスト手段をさらに有することを特徴とする請求項１に記載のＶｏＩＰ装置試験システム。
【請求項７】
音声信号をパケットデータに変換して送受信し、ＩＰ網を通じての通話を行うＶｏＩＰ装置を被試験機として、該被試験機の動作試験を複数台一括して行うテスト方法であって、
各被試験機に固有の固定アドレス情報を入力し、これら入力された各固定アドレスに対し、動的アドレスを割り当てるステップ（１）と、
前記動的アドレスと、各被試験機に割り当てられた電話番号とを関連付けてコールエージェント部に登録するとともに、試験用装置に固定的に割り当てられた動的アドレス及び電話番号を該コールエージェント部に登録するステップ（２）と、
各被試験機に接続された複数の電話機の中から任意の２機により組を形成し、これらの各組において被試験機に接続された第１の電話機から、他の被試験機に接続された第２の電話機に対して発呼を試み、通話が確立した場合には、着呼があった該第２の電話機から、前記第１の電話機に発呼を試み、通話が成立しなかった場合に、前記試験用装置に接続された電話機に対して通話を試みるステップ（３）と
を有することを特徴とするＶｏＩＰ装置のテスト方法。
【請求項８】
前記ステップ（３）において、前記被試験機に接続された電話機には、発呼すべき他の被試験機に接続された電話機の電話番号であって、前記コールエージェント部に登録された電話番号が短縮操作によりダイヤル可能に設定されていることを特徴とする請求項７に記載のＶｏＩＰ装置のテスト方法。
【請求項９】
前記ＶｏＩＰ装置は、前記通話を行う通信ポートとは異なる、データ通信用の通信ポートを備えており、
前記データ通信用ポートを介して、データの送受を行い、該データ通信用ポートの動作確認を行うステップをさらに有することを特徴とする請求項７に記載のＶｏＩＰ装置のテスト方法。
【発明の詳細な説明】
【技術分野】
【０００１】  本発明は、音声信号をパケットデータに変換して送受信し、ＩＰ網を通じての通話を行うＶｏＩＰ装置の動作試験を複数台一括して行うＶｏＩＰ装置試験システム及びテスト方法に関する。
【背景技術】
【０００２】  近年においては、インターネット等のＩＰ網が発達するとともに、通信機器の発達により大容量のデータ送受信及びデータ処理が可能となってきており、音声をＩＰパケットに変換することにより、インターネットを通じた通話を行ういわゆるインターネット電話も一般化してきている。【０００３】  このインターネット電話は、ＶｏＩＰ（Ｖｏｉｃｅ  ｏｖｅｒ  Ｉｎｔｅｒｎｅｔ  Ｐｒｏｔｏｃｏｌ）と呼ばれるＴＣＰ／ＩＰネットワークを使って音声データを送受信する技術により実現され、このＶｏＩＰサービスを提供するにあたり、モデムなどのＣＰＥ（Ｃｕｓｔｏｍｅｒ  Ｐｒｅｍｉｓｅｓ  Ｅｑｕｉｐｍｅｎｔ）を、ユーザーにレンタルする場合が多い。このレンタルに係る機器は、出荷前にその動作試験を行ったり、サービス終了後に回収されたものの障害を検査したり、ファームウェアのアップグレードを行ったりなどのメンテナンスが必要となる。【０００４】  このメンテナンスにあっては、被試験機を実際の使用環境に近似させたネットワークに模擬的に接続し、動作状態を検査する必要がある。このようにネットワークを構成する通信機器やネットワーク自体の性能を評価する技術として、例えば特許文献１に開示された技術がある。この特許文献１に開示された技術では、試験用のパケットをネットワークに送出し、そのスループットを測定することにより、モデム等、ネットワーク上の機器の性能を概算する。【０００５】  しかしながら、上述した特許文献１に開示された技術では、スループット等によりモデムの性能を概算するものであり、既に構築されたネットワーク全体の性能を測定することができても、個々の機器について、個別のテストは困難であるという問題がある。【０００６】  特に、上述したようにレンタル用の機器のメンテナンスにあっては、大量の被試験機に対して種々の試験を行わなければならないことから、その操作が複雑であると実用性に欠けるという問題がある。また、上述したＶｏＩＰ装置は、その音質等を確認するために、人間が実際に通話を行う必要があり、その操作が煩雑であっては、迅速な試験作業を行えないという問題が生じる。
【特許文献１】特開平１０−３０３９０２
【発明の開示】
【０００７】  本発明は以上の点に鑑みてなされたもので、ＶｏＩＰ装置の動作試験を行う際に、簡単な操作により大量の装置に対して適切な試験を実施できるＶｏＩＰ装置試験システム及びテスト方法を提供することをその課題とする。
【０００８】  上記課題を解決するために、本発明は、音声信号をパケットデータに変換して送受信し、ＩＰ網を通じての通話を行うＶｏＩＰ装置を被試験機として、該被試験機の動作試験を複数台一括して行うテストシステム及び方法であって、各被試験機の固定アドレス情報を入力し、これら入力された各固定アドレスに対し、動的アドレスを割り当て、動的アドレスと各被試験機及び試験用装置に割り当てられた電話番号とを関連付けてコールエージェント部に登録する。
【０００９】  そして、各被試験機に接続された複数の電話機の中から任意の２機により組を形成し、これら各組において被試験機に接続された第１の電話機から、他の被試験機に接続された第２の電話機に対して発呼を試み、通話が確立した場合には、着呼があった第２の電話機から、第１の電話機に発呼を試み、通話が成立しなかった場合に、試験用装置に接続された電話機に対して通話を試みる。
【００１０】  このような本発明によれば、複数台の被試験機に対して、実際の使用環境に近似させた通信環境を一括して構築することができるとともに、発呼及び着呼の動作試験を最小限の操作により効率よく行うことができる。
【００１１】  上記発明において、被試験機に接続された電話機には、発呼すべき他の被試験機に接続された電話機の電話番号であって、コールエージェント部に登録された電話番号がリダイアル可能に設定されていることが好ましい。この場合には、繰り返し行われる同一の操作を、必要最小限の操作により実行させることができ、試験作業の効率をより高めることができる。
【００１２】  上記発明において、前記ＶｏＩＰ装置は、通話を行う通信ポートとは異なるデータ通信用の通信ポートを備えており、データ通信用ポートを介してデータの送受を行い、データ通信用ポートの動作確認を行うこともできる。この場合には、通話テストと併せてデータ通信の動作確認を行うことができ、効率よく且つ迅速に装置の動作試験を行うことができる。なお、この場合において、データの送受としては、例えばファイル転送（アップロード及びダウンロード）方式が考えられる。また、このデータの送受に用いられるアドレスの設定は、上記発明において割り当てられた動的アドレスを用いることが好ましい。
【図面の簡単な説明】
【００１３】
【図１】図１は、実施形態に係るＶｏＩＰテストシステムの概略構成を示す説明図である。
【図２】図２は、実施形態に係るＶｏＩＰテストシステムの操作画面の構成を示す説明図である。
【図３】図３は、実施形態に係る試験方法の手順を示すフローチャート図である。
【図４】図４は、実施形態に係る試験方法における画面表示を示す説明図である。
【図５】図５は、実施形態に係る試験方法における画面表示を示す説明図である。
【図６】図６は、実施形態に係る試験方法における画面表示を示す説明図である。
【図７】図７は、実施形態に係る通話テストの手順を示す概念図である。
【図８】図８は、変更例に係るＶｏＩＰテストシステムの概略構成を示す説明図である。
【図９】図８は、変更例に係るＥｔｈｅｒポート確認試験の手順を示す概念図である。
【発明を実施するための最良の形態】
【００１４】（ＶｏＩＰテストシステム）
本発明の実施形態について、図面を参照しつつ説明する。図１は、本実施形態に係るＶｏＩＰテストシステムの概略構成を示す説明図である。【００１５】  同図に示すように、本実施形態に係るＶｏＩＰテストシステム１００は、ＤＨＣＰ（Ｄｙｎａｍｉｃ  Ｈｏｓｔ  Ｃｏｎｆｉｇｕｒａｔｉｏｎ  Ｐｒｏｔｏｃｏｌ）サーバ１と、ＤＳＬＡＭ（Ｄｉｇｉｔａｌ  Ｓｕｂｓｃｒｉｂｅｒ  Ｌｉｎｅ  Ａｃｃｅｓｓ  Ｍｕｌｔｉｐｌｅｘｅｒ）３と、システムサーバ４と、固定アドレス入力部５と、被試験機８ａ〜８ｃを含む被試験ユニットＢ１〜Ｂｎと、障害検出時において切り分け処理を行う障害試験用端末１７を含む障害試験ユニットＣ１とから概略構成される。【００１６】  固定アドレス入力部５は、システムサーバ４に接続された入力デバイスであり、各被試験機８ａ〜８ｃや障害試験用端末１７のＭＡＣアドレスを入力する。なお、この固定アドレス入力部５としては、キーボードやマウス、テンキー等の入力デバイスを用いることができるが、本実施形態においては、バーコードリーダーを採用しており、バーコードにより表記された各ＭＡＣアドレスを光学的に読み取る。【００１７】  ＤＨＣＰサーバ１は、ネットワークに接続される被試験機８ａ〜８ｃや障害試験用コンピュータに、ＩＰアドレスなど必要な情報を自動的に割り当てるサーバであり、具体的には、固定アドレス入力部５で入力された各被試験機のＭＡＣアドレスを取得し、各ＭＡＣアドレスに対応するＩＰアドレスを発行し、割り当てる。なお、本実施形態においてこのＤＨＣＰサーバ１は、ストレートケーブル２によりシステムサーバ４及びＤＳＬＡＭ３に接続されている。【００１８】  ＤＳＬＡＭ３は、複数の回線を束ね、ＤＨＣＰサーバ１と接続する集線装置であり、各被試験ユニットＢ１〜Ｂｎ及び障害試験ユニットＣ１に設けられたモジュラージャック７に接続されたチャンプケーブル６を集線し、ストレートケーブル２によりＤＨＣＰサーバ１を通じて、システムサーバ４に接続されている。【００１９】  システムサーバ４は、本実施形態では、テストシステムを実行するテストサーバ４４と、ＶｏＩＰを実現するためのコールエージェント４５と、ファイル転送部４６であるＴＦＴＰ（Ｔｒｉｖｉａｌ  Ｆｉｌｅ  Ｔｒａｎｓｆｅｒ  Ｐｒｏｔｏｃｏｌ）サーバとから構成されるサーバ装置群である。なお、これらのサーバは、単一のサーバ装置により構築してもよい。【００２０】  このシステムサーバ４のテストサーバ４４は、ＶｏＩＰ装置試験において、後述するテストアプリケーションを実行し、上記固定アドレス入力部５によるＭＡＣアドレスの入力や、ＤＨＣＰサーバ１へのＭＡＣアドレスの登録を行う。また、テストサーバ４４は、Ｐｉｎｇ監視部４４ａを備えており、ＩＰアドレスの割り当ての際に、Ｐｉｎｇ監視等を行う。【００２１】  また、システムサーバ４のコールエージェント４５は、通話テストにおいて、各被試験機８ａ〜８ｃ及び障害試験用端末１７に割り当てられたＩＰアドレスと、電話番号とを関連付けて登録し、ＶｏＩＰ通信において呼制御装置として中継交換を行う。さらに、システムサーバ４のファイル転送部４６は、各被試験機８ａ〜８ｃに対して、ファームウェアなどのアップグレー��を行うアップグレード部４４ｂを備え、ファイルの転送を実行することにより被試験機のアップグレードを行うことができる。【００２２】  被試験ユニットＢ１は、被試験機８ａを試験するためのユニットであり、被試験機８ａは、モジュラージャック７に接続されたチャンプケーブル６を通じて、ＤＳＬＡＭ３に接続されているとともに、電話機１０ａが接続されている。なお、この被試験機８ａはＡＣアダプタ１１が接続され電源が供給されている。【００２３】  被試験ユニットＢ２は、被試験機８ｂを試験するためのユニットであり、被試験機８ｂは、モジュラージャック７に接続されたチャンプケーブル６を通じてＤＳＬＡＭ３に接続されているとともに、ＩＳＤＮターミナルアダプタ１３を介して電話機１０ｂが接続されている。なお、この被試験機８ｂはＡＣアダプタ１２が接続され電源が供給されている。【００２４】  被試験ユニットＢｎは、被試験機８ｃを試験するためのユニットであり、被試験機８ｃは、ＡＤＳＬモデム１４及びモジュラージャック７に接続されたチャンプケーブル６を通じてＤＳＬＡＭ３に接続されているとともに、電話機１０ｃが接続されている。なお、この被試験機８ｃにはＡＣアダプタ１６が接続され、ＡＤＳＬモデム１４にはＡＣアダプタ１５が接続され、それぞれ電源が供給されている。【００２５】  障害試験ユニットＣ１は、障害試験用端末１７を当該テストシステムに接続するためのユニットである。障害試験用端末１７は、ＩＰアドレス及び電話番号が固定的に割り当てられた装置であり、モジュラージャック７に接続されたチャンプケーブル６を通じてＤＳＬＡＭ３に接続されているとともに、電話機１０ｄが接続されている。なお、この障害試験用端末１７にはＡＣアダプタ１８が接続され電源１６から電源が供給されている。【００２６】  なお、被試験機８ａ〜８ｃ及び障害試験用端末１７は、音声−パケット変換機能を備えたモデムやターミナルアダプタ、ルータ等のユーザーが設置する機器、いわゆるＣＰＥ（Ｃｕｓｔｏｍｅｒ  Ｐｒｅｍｉｓｅｓ  Ｅｑｕｉｐｍｅｎｔ）であり、これらの被試験機には、各被試験機に固有且つ物理的に固定されたアドレス情報（固定アドレス情報）としてＭＡＣアドレスが付与されている。【００２７】  また、上記電話機１０ａ〜１０ｄは、音声通話が可能なアナログ式電話機であり、リダイアル（再送）機能や、着信のあった電話番号にダイヤルする機能を備えており、これらの機能によって、発呼すべき他の被試験機に接続された電話機の電話番号であって、システムサーバ４に登録された電話番号を短縮操作によりダイヤル可能となっている。【００２８】（操作画面）
システムサーバ４のテストサーバとしての機能では、テストアプリケーションを起動し、モニター４ａに表示される操作画面をユーザーインターフェースとする。図２は、操作画面の構成を示す説明図である。【００２９】  操作画面は、登録条件情報欄４１と、障害試験用装置登録情報欄４２と、被試験機登録情報欄４３とから構成されている。【００３０】  登録条件情報欄４１は、テスト開始を指示するテスト開始ボタン、登録するＣＰＥの機種選択、一括して試験を行うＣＰＥの台数、Ｐｉｎｇのタイムアウト回数の設定、Ｐｉｎｇ実行回数カウンターなどを表示する部分である。障害試験用装置登録情報欄４２は、障害試験用端末１７を登録する際に操作する部分であり、登録処理を開始するための開始ボタン、障害試験用端末１７に割り当てられた電話番号やＭＡＣアドレスを表示する。なお、障害試験用端末１７が登録されていない場合には、ＭＡＣアドレスが”００−００−００−００−００−００”と表示される。被試験機登録情報欄４３は、登録されている被試験機の電話番号、ＭＡＣアドレス、及びそのステータスを表示する。【００３１】（テスト方法）
以上説明した構成を有するテストシステムによるＶｏＩＰ装置の試験方法は以下の手順により行う。図３は、本実施形態に係る試験方法の手順を示すフローチャート図である。【００３２】  先ず、システムサーバ４においてテストアプリケーションを起動し、上述した操作画面をモニター４ａに表示させる（ステップＳ１０１）。そして、障害試験用装置登録情報欄４２に表示された障害試験用端末１７のＭＡＣアドレスが、図４（ａ）に示すように、”００−００−００−００−００−００”であるか否かを視認することによって、障害試験用端末１７が登録されているか否かを判断する（Ｓ１０２）。【００３３】  ステップＳ１０２において、障害試験用端末１７が登録されていない場合（図３中ステップＳ１０２における”Ｎ”）には、ステップＳ１０３に移行し、障害試験用端末１７の登録を行う。具体的には、図４（ａ）に示すように、「ＣＰＥ登録開始」ボタンをクリックすることにより、電話番号欄やＭＡＣアドレス欄をクリアし、入力待ちの状態とする。この状態において、固定アドレス入力部５により、障害試験用端末１７のＭＡＣアドレスを読み込む。ＭＡＣアドレスが正常に読み込まれた場合には、図４（ｂ）に示すように、電話番号及びＭＡＣアドレスが表示される。【００３４】  ステップＳ１０２において、障害試験用端末１７が既に登録されている場合（図３中ステップＳ１０２における”Ｙ”）、若しくはステップＳ１０３を終了した後、登録条件の設定を行う（Ｓ１０４）。【００３５】  すなわち、図５（ａ）に示すような操作画面の登録条件情報欄４１において、登録するＣＰＥの端末機種（メーカー機種等）を選択し、一括台数の選択を行うほか、Ｐｉｎｇ監視時におけるタイムアウト回数を設定する。なお、一括台数の選択については、選択した端末機種のチャンネル数や型番等に応じて、以下の表１のように設定する。
【表１】
0004406647.tif 000002
【００３６】  このとき、チャンネル数が２ｃｈの機種を選択した場合には、図５（ｂ）のように、被試験機登録情報欄４３の補助画面４３ａが表示され、２ｃｈがひとまとまりであることを示し、チャンネル数が４ｃｈの機種を選択した場合には、図５（ｃ）のように、被試験機登録情報欄４３の補助画面４３ａが表示され、４ｃｈがひとまとまりであることが示される。【００３７】  登録条件の設定が終了した後、被試験機のＭＡＣアドレスを登録する（Ｓ１０５）。この操作は、障害試験用装置登録情報欄４２の「テスト開始」ボタンをクリックすることにより開始される。このとき各被試験機の電源はＯＦＦとする。テストが開始されると、ＭＡＣアドレスの入力待ちの状態となり、図５（ｃ）に示すように、固定アドレス入力部５によりＭＡＣアドレスが入力されると、ＤＨＣＰサーバ１によりＭＡＣアドレスの登録が実行される（Ｓ１０６）。このステップＳ１０６では、入力されたバーコード情報がＭＡＣアドレスでない場合（初めの２桁が”００”でない場合など）には再入力を要求し、また、既にＭＡＣアドレスが登録済みであるときには、その旨のメッセージが表示される。【００３８】  ループ処理により、これらステップＳ１０５及びＳ１０６を全ての被試験機について実行する（Ｓ１０７）。そして、全ての被試験機についてＭＡＣアドレスの登録が終了したら（図３中ステップＳ１０７における”Ｙ”）、図６（ａ）に示すように、「供給電源をＯＮにして下さい」のメッセージを表示するとともに、ステータス情報に「ＤＨＣＰ設定中」を表示し、ステップＳ１０８に移行する。これを受けて試験者は、各被試験機の電源をＯＮとする。【００３９】  ステップＳ１０８において、図６（ｂ）に示すように、各被試験機に対してＰｉｎｇを発信し、ステータス情報にその旨を表示するとともに、図６（ｃ）に示すように、ＤＨＣＰサーバ１によりＩＰアドレスの割り当てを開始し、ステータス情報にその旨を表示する。このＰｉｎｇに対する返信を監視することにより、電源がＯＮとなったこと、及びＩＰアドレスが割り当てられたことを認識する（Ｓ１０９）。【００４０】  ステップＳ１０９において、全被試験機についてのＩＰアドレスが取得されたと判断した場合には、ステップＳ１１０の通話テストに移行する。なお、Ｐｉｎｇに対する返答がない被試験機があった場合には、図６（ｄ）に示すように、その被試験機のステータス情報に「ＰｉｎｇＮＧ」が表示されるとともに、リトライを実行するか否かの選択を要求する。【００４１】  ステップＳ１０９では、図７に示すように、各被試験機に接続された複数の電話機の中から任意の２機により組を形成し、各組において被試験機に接続された一方の電話機（例えばＢ１側電話機１０ａ）から、他方の電話機（Ｂ２側電話機１０ｂ）に対して発呼を行う（Ｓ１１０ａ）。このとき、Ｂ１側の電話機１０ａでは、相手側である電話機１０ｂの電話番号がリダイアル機能により短縮操作が可能となっている。【００４２】  Ｂ１からＢ２への通話が確立した場合には、Ｂ２側の電話機から、Ｂ１側の電話機に発呼を行う。このとき、Ｂ２側の電話機１０ｂでは、相手側である電話機１０ａの電話番号がリダイアル機能により、又は電話機１０���から通知された着信電話番号へのダイヤル機能により、短縮操作が可能となっている。【００４３】  ステップＳ１１０ｂにおいて、通話が確立しないなど障害が検出された場合には（図３中ステップＳ１１０ｂにおける”Ｙ”）、その組のいずれかの電話機から、Ｃ１側の障害試験用端末１７に接続された電話機１０ｄに対して通話を試みる（Ｓ１１０ｃ）。これにより、障害が発生している被試験機を特定する（Ｓ１１０ｄ）。【００４４】  ステップＳ１１０ｂにおいて、通話が確立した場合には（図３中ステップＳ１１０ｂにおける”Ｎ”）、次の電話機の組について同様の試験を行う。全ての被試験機について通話試験を終了した後、テストアプリケーションを終了する。【００４５】（ＶｏＩＰ装置テストシステム及びテスト方法による効果）
このような本実施形態に係るＶｏＩＰ装置試験システム及びテスト方法によれば、複数台の被試験機８ａ〜８ｃに対して、ＭＡＣアドレスの登録やＩＰアドレスの割り当て、Ｐｉｎｇ監視等を自動的に行い、実際の使用環境に近似させた通信環境を一括して構築することができる。また、電話機１０ａ〜１０ｃに備えられた短縮ダイヤル機能等を利用することによって、繰り返し行われる同一の操作を、必要最小限の操作により実行させることができ、試験作業の効率をより高めることができる。この結果、本実施形態によれば、ＶｏＩＰ装置の動作試験を行う際に、簡単な操作により大量の装置に対して適切に実施することができる。【００４６】（変更例）
上記実施形態において、さらに以下に述べるようなＥｔｈｅｒポート確認試験のためのシステム構成を追加することができる。図８は、Ｅｔｈｅｒポート確認試験システムを追加した場合のシステム構成を示すブロック図である。なお、この変更例では、上述した被試験機８ａ〜８ｃが、通話を行う通信ポートとは異なるデータ通信用の通信ポートとしてＥｔｈｅｒポートを備えているものとする。【００４７】  図８に示すように、本変更例では、上述した実施形態で説明したＶｏＩＰテストシステム１００の構成に加え、Ｅｔｈｅｒポート確認試験用の機器として、スイッチ装置９１と、テストシステム用コンピュータ９２と、試験機用ＣＰＥ９３とが追加される。【００４８】  スイッチ装置９１は、上述した被試験機８ａ〜８ｃのＥｔｈｅｒポートにケーブル９１ａで接続されるとともに、テストシステム用コンピュータ９２が接続され、被試験機８ａ〜８ｃを選択的にテストシステム用コンピュータ９２に接続するルーティング装置である。このスイッチ装置９１は、ケーブル９５により直接ＤＨＣＰサーバ１に接続されるか、或いは試験機用ＣＰＥ９３を介して、ケーブル９４によりＤＨＣＰサーバ１に接続され、これらのケーブル９４又は９５を経由して、システムサーバ４からの制御信号を受信し、接続すべき被試験機を選択する。【００４９】  スイッチ装置９１は、被試験機８ａ〜８ｃのＥｔｈｅｒポートを通じて、システムサーバ４との間でファイル転送を実行するコンピュータである。このスイッチ装置９１は、システムサーバ４からの制御により、スイッチ装置９１で選択される試験器を通じて、ファイルのアップロード及びダウンロードを実行する。なお、このファイル転送に際には、ケーブル９４，９５経由でのファイル転送を予め実行し、ファイル転送の可否、及び転送速度の基準値を測定して、Ｅｔｈｅｒポート確認試験用の準備をしておいてもよい。【００５０】  システムサーバ４は、ファイル転送部４６と、テストシステム用コンピュータ９２との間でファイルの送受を行い、スイッチ装置９１との間におけるファイル転送の可否、及び転送速度によりＥｔｈｅｒポートが正常に動作しているかを、テストサーバ４４により確認する。本変更例では、このファイル転送に際し、ＤＨＣＰサーバ１で割り当てられ、システムサーバ４に登録されたＩＰアドレスを用いて、Ｐｉｎｇ監視部４４ａによりＰＩＮＧ処理を実行し、通信が確立していることを確認した後、ファイル転送部４６においてファイル転送テストを実行する。【００５１】  すなわち、図９に示すように、上述したＶＯＩＰ試験が終了した後、データ通信テスト（Ｅｔｈｅｒポート確認試験）用のプログラムが起動され（Ｓ２０１）、接続構成に従ってＤＨＣＰサーバ１及びスイッチ装置９１間の接続経路であるケーブル９５又は９４を選択する（Ｓ２０２）。接続構成がルーター接続であるときには、試験機用ＣＰＥ９３を障害試験装置として登録し（Ｓ２０３）、ケーブル９４で接続する。一方、接続構成がブリッジ接続であるときには、直接ケーブル９５により接続する。【００５２】  その後、上述した実施形態と同様に種々の登録条件を設定し（Ｓ２０４）、ＰＩＮＧ処理を開始し、その成否を監視する（Ｓ２０５）。ＰＩＮＧ処理が正常に実行されないときは（ステップＳ２０６における”Ｎ”）、データ通信ポート（Ｅｔｈｅｒポート）に以上があるものと判断し（Ｓ２０７）、正常に実行されたときは、ファイル転送テスト（Ｓ２０８）に移行する。【００５３】  ファイル転送テストでは、システムサーバ４及びテストシステム用コンピュータ９２間でファイルのダウンロード及びアップロードを実行し（Ｓ２０８ａ）、そのファイル転送が基準速度で実行されないときには（ステップＳ２０８ｂにおける”Ｎ”）、データ通信ポート（Ｅｔｈｅｒポート）に以上があるものと判断し（Ｓ２０７）、基準速度以下であれば、その転送速度を表示する（Ｓ２０８ｃ）。そして全ての試験器についてテストが終了した後、Ｅｔｈｅｒポート確認試験を終了する。【００５４】  このように、ＶｏＩＰテストシステム１００にＥｔｈｅｒポート確認試験の構成を追加することにより、通話テストと併せてデータ通信の動作確認を行うことができ、効率よく且つ迅速に装置の動作試験を行うことができる。
【産業上の利用可能性】
【００５５】  以上説明したように本発明によれば、音声信号をパケットデータに変換して送受信し、ＩＰ網を通じての通話を行うためのＶｏＩＰ装置の動作試験を行う際に、簡単な操作により大量の装置に対して適切に実施することができる。
【図１】
0004406647.tif 000003
【図２】
0004406647.tif 000004
【図３】
0004406647.tif 000005
【図４】
0004406647.tif 000006
【図５】
0004406647.tif 000007
【図６】
0004406647.tif 000008
【図７】
0004406647.tif 000009
【図８】
0004406647.tif 000010
【図９】
0004406647.tif 000011